(57)【要約】【課題】少ない施工手間で構築でき、大きい収納容積を備えるとともに楽な姿勢で収納動作を行える床下収納構造を提供する。【解決手段】第一床部１０と、この第一床部１０よりも高い床面２１を有する高床部２０とを備えており、高床部２０の床下に床下収納部３０が設けられた床下収納構造１において、床下収納部３０は、高床部２０の床下から第一床部１０の床面１１上に移動する引出部材３１にて構成されており、引出部材３１の先端面には、第一床部１０と高床部２０との間を昇降するための階段３５が形成されている。【選択図】図２
2012031671.tif 000002
【特許請求の範囲】
【請求項１】
第一床部と、この第一床部よりも高い床面を有する高床部とを備えており、
前記高床部の床下に床下収納部が設けられた床下収納構造において、
前記床下収納部は、前記高床部の床下から前記第一床部の床面上に移動する引出部材にて構成されており、
前記引出部材の先端面には、前記第一床部と前記高床部との間を昇降するための階段が形成されている
ことを特徴とする床下収納構造。
【請求項２】
前記高床部の床下の前記引出部材が挿入される部分には、前記第一床部の床面と面一の床面が形成されている
ことを特徴とする請求項１に記載の床下収納構造。
【請求項３】
前記階段には、前記引出部材を引き出すための取っ手部が形成されている
ことを特徴とする請求項１または請求項２に記載の床下収納構造。
【発明の詳細な説明】
【技術分野】
【０００１】
本発明は、床下収納構造に関する。
【背景技術】
【０００２】
住宅における床下収納構造は、１階の床面に蓋を設け、この蓋の下方の床下空間に落とし込まれた箱型の収納容器に対して物品を出し入れする形態が一般的である。このような形態の床下収納構造では、足元より低い位置に物品を出し入れする鉛直方向の動作となるので収納動作の負担が大きいといった問題や、収納可能な容積は蓋の面積と床下空間の高さによって決まるため収納容積をあまり大きくできないといった問題があった。
【０００３】
そこで、前記の問題を解決するために、近年では、段差のある床が隣接して設けられた住宅において、上側の床の床下に収納部を設け、上側の床と下側の床との間に設けられた壁部に前記収納部の取出口を設けた床下収納構造が採用される場合があった（例えば、特許文献１参照）。
【先行技術文献】
【特許文献】
【０００４】
【特許文献１】特開２００３−６４８９１号公報
【発明の概要】
【発明が解決しようとする課題】
【０００５】
しかしながら、特許文献１の構成の床下収納構造では、上側の床と下側の床との段差が大きいので、これら上下の床間を昇降するための階段を別途設ける必要があった。そのため、施工に多くの手間を要する問題があった。また、階段部分には収納部の取出口を設けることはできず、階段部分を収納空間として利用することができず、収納容積を増加させる余地が残されていた。
【０００６】
そこで、本発明は、前記の問題を解決するためになされたものであり、少ない施工手間で構築でき、大きい収納容積を備えるとともに楽な姿勢で収納動作を行える床下収納構造を提供することを課題とする。
【課題を解決するための手段】
【０００７】
前記課題を解決するための本発明は、第一床部と、この第一床部よりも高い床面を有する高床部とを備えており、前記高床部の床下に床下収納部が設けられた床下収納構造において、前記床下収納部は、前記高床部の床下から前記第一床部の床面上に移動する引出部材にて構成されており、前記引出部材の先端面には、前記第一床部と前記高床部との間を昇降するための階段が形成されていることを特徴とする床下収納構造である。
【０００８】
このような構成によれば、階段を別途に設ける必要がないので施工手間および施工費用の低減が図れる。また、引出部材の先端面に階段を形成しているので、第一床部と高床部との段差部の全長に亘って引出部材を設けることができる。したがって、より多くの収納部分を設けることができる。さらに、引出部材の奥行を大きくすることで大きい収納容積を得られ、また、第一床部上で収納動作を行えるので楽な姿勢で収納作業ができる。
【０００９】
また、本発明では、前記高床部の床下の前記引出部材が挿入される部分に、前記第一床部の床面と面一の床面を形成してもよい。つまり、引出部材の挿入部分を二重床構造とすることで、引出部材の引き出し動作を容易に行うことができる。
【００１０】
さらに、本発明では、前記階段に、前記引出部材を引き出すための取っ手部を形成してもよい。このような構成によれば、引出部材の引き出し動作を容易に行うことができる。
【発明の効果】
【００１１】
本発明によれば、床下収納構造を少ない施工手間で構築でき、大きい収納容積を備えるとともに楽な姿勢で収納動作を行うことが可能となるといった優れた効果を発揮する。
【図面の簡単な説明】
【００１２】
【図１】本発明の一実施形態に係る床下収納構造を適用した住宅を示した平面図である。
【図２】本発明の一実施形態に係る床下収納構造を示した断面図である。
【発明を実施するための形態】
【００１３】
本発明の実施形態について図面を参照して詳細に説明する。本発明は、軸組工法、ツーバイフォー工法やパネル工法など、一般的な種々の工法で構築された住宅に適用可能である。
【００１４】
本実施形態に係る床下収納構造１は、図１および図２に示すように、第一床部１０と、この第一床部１０よりも高い床面２１を有する高床部２０とを備えており、高床部２０の床下に床下収納部３０が設けられている。第一床部１０は、例えば、リビングルームやダイニングルームなどに形成された床にて構成されている。高床部２０は、第一床部１０が形成された居室の一部（図１中、ドットにて示したリビングルームの一角部分）、またはこの居室に隣接する居室に形成されており、第一床部１０に対して、例えば階段二段分の高さ（２５０〜４００ｍｍ程度）高く形成されている。
【００１５】
図２に示すように、高床部２０は、第一床部１０の床面１１と面一で形成された内部床面１２上に、図示しない束、大引き、根太などを適宜組付けて、その上部に形成されている。内部床面１２は、高床部２０の下方全体に形成されており、高床部２０は、全体が二重床構造となっている。つまり、高床部２０の床下は、室内と同等の温度および湿度環境になっている。
【００１６】
第一床部１０と高床部２０との段差部１３の壁面部には、開口部１４が形成されており、この開口部１４を介して、床下収納部３０の出し入れが行われる。
【００１７】
床下収納部３０は、高床部２０の床下（内部床面１２上）から第一床部１０の床面１１上へ移動する引出部材３１にて構成されている。引出部材３１は、底板３２と側板３３とを備えており、上部が開口した箱状を呈している。引出部材３１は、木製の板材にて構成されている。底板３２は長方形を呈しており（図１参照）、側板３３は底板３２の周縁部で立ち上がっている。底板３２の下部には、戸車３４が複数設置されており、引出部材３１が第一床部１０上および内部床面１２上を走行可能になっている。内部床面１２には、図示しないガイドレールが設けられており、戸車３４がガイドレール上を走行するようになっている。引出部材３１は、引出し作業が軽くできるように、その重量を考慮して幅寸法が設定されている。そして、引出部材３１が複数並列されて、床下収納部３０が構成されている。
【００１８】
図２の（ｂ）に示すように、引出部材３１を高床部２０の床下に収容したときには、引出部材３１の側板３３のうち、第一床部１０側に位置する側板３３ａが、段差部１３の開口部１４を塞ぐ。
【００１９】
引出部材３１の先端面（側板３３ａの外側面）には、第一床部１０と高床部２０との間を昇降するための階段３５が形成されている。階段３５は、踏面を構成する段板３６を備えている。段板３６は、必要な踏面寸法で側板３３ａから水平に張り出して設けられている。段板３６の下方には、底板３２から段板３６と平行に張り出した支持板３７が形成されている。支持板３７は、底板３２と一体形成されており、底板３２を延出させた形状になっている。段板３６の下面には、蹴込み板３８が設けられている。蹴込み板３８は、その下端部が支持板３７の先端面に接続されている。蹴込み板３８は、支持板３７の下面よりも下方に突出しており、蹴込み板３８の下端面は、第一床部１０の床面１１と当接しない高さ程度に近づいている。蹴込み板３８は、戸車３４を第一床部１０側から見え難くくする目隠しの役目も有している。蹴込み板３８は、段板３６の先端から基端側にオフセットした位置に固定されている。つまり、蹴込み板３８の表面から段板３６の先端部が突出している。この段板３６の先端突出部３６ａの下面には、凹部３９が形成されている。この凹部３９は、指を係止できるように形成されており、この部分が取っ手部を構成することとなる。つまり、凹部３９に指を係止して引っ張ることで引出部材３１を引き出しやすくすることができる。
【００２０】
蹴込み板３８には、昇降可能な棒状係止部材を備えたフランス落し（図示せず）が設けられている。引出部材３１を高床部２０の床下に収容したときのフランス落しの位置の下方の第一床部１０の床面１１には、係止穴（図示せず）が形成されている。棒状係止部材を係止穴に挿入することで、引出部材３１が収容位置に固定される。つまり、フランス落しが引出部材３１のストッパーの役目を果たす。
【００２１】
図１に示すように、床下収納部３０は、Ｘ軸方向に引き出し可能なものと、Ｙ軸方向に引き出し可能なものが設けられている。各床下収納部３０は、高床部２０の床下で互いに干渉しない位置に配置されている。各床下収納部３０は、それぞれ幅方向に三分割された引出部材３１，３１，３１にて構成されている。各引出部材３１の先端面に設けられた段板３６は、隣り合う段板３６と干渉しないで、且つ、昇降可能なように段板３６，３６間の間隔が開き過ぎないよう（例えば数ｍｍ程度の隙間となる）に構成されている。各引出部材３１は、個別に引き出しが可能である。
【００２２】
なお、床下収納部３０の設置位置は、本実施形態に限定されるものではなく、一箇所のみであってもよいし、三箇所以上であってもよい。さらに、引出部材３１の分割個数は、三つに限られるものではなく、幅寸法に応じて設定される。
【００２３】
以上のような構成の床下収納構造１によれば、引出部材３１の先端面に階段３５を一体的に設けているので、階段を別途に設ける必要がなく、その分の施工手間および施工費用を低減できる。さらに、本実施形態の階段３５は構成が簡単であるので、本設の階段よりも施工費用が安く済む。階段がない段差部分には手摺等の落下防止手段を設けてもよい。さらに、第一床部２０と高床部３０との段差部の全長に亘って引出部材３１を設けることができので、より多くの収納部分を設けることができる。
【００２４】
高床部２０の床下に引出部材３１を設けたことによって、引出部材３１の奥行長さを大きくすることで大きい収納容積を得られる。さらに、引出部材３１に収納物を収納する作業は、第一床部１０上で行えるので、従来のように床面より低い位置に収納物を出し入れする必要がないので、楽な姿勢で収納作業ができる。
【００２５】
また、本実施形態では、高床部２０の床下の引出部材３１が挿入される部分に、第一床部１０の床面１１と面一の内部床面１２を形成しているので、引出部材３１の引き出し動作を容易に行うことができる。また、高床部２０の床下は、室内と同等の温度および湿度環境になっているので、室内の空調効率を妨げることはない。
【００２６】
さらに、本発明では、階段３５に、引出部材３１を引き出すための取っ手部（凹部３９）を形成しているので、引出部材３１の引き出し動作を容易に行うことができる。
【００２７】
また、階段３５には、フランス落しが設けられており、引出部材３１の収容位置で固定できるので、引出部材３１の安定性を高めることができるとともに、容易に位置決めを行うことができる。高床部２０の床下への挿入および位置決めの際には、引出部材３１はガイドレールに沿って移動するので、走行安定性が高く、位置決めを行いやすい。
【００２８】
以上、本発明を実施するための形態について説明したが、本発明は前記実施の形態に限定されず、本発明の趣旨を逸脱しない範囲で適宜設計変更が可能である。例えば、前記実施形態では、内部床面１２を高床部２０の下方全体に形成したが、これに限定されるものではなく、少なくとも床下収納部３０の位置に形成されていればよく、その他の部分は、基礎が露出した開口部としてもよい。このような構成とすれば、引出部材３１を取り外して形成される開口部１４から、高床部２０の床下を介して基礎の点検を行うことができるので、床下点検口の役目を果たすことができる。
【００２９】
また、本実施形態では、一般住宅のリビングルームに本発明を適用した例を挙げて説明したが、これに限定されるものではない。例えば、リビングルーム以外の居室や、住宅ではない他の用途の建築物であっても適用可能であるのは勿論である。
【００３０】
さらに、本実施形態では、階段３５は二段であるが、この段数に限られるものではなく、高床部２０の高さに応じて適宜決定される。高床部２０の高さが高いほど、床下収納部３０の収納容積を大きくできる。
【００３１】
また、本実施形態では、フランス落しで引出部材３１を収容位置に固定しているが、これに限定されるものではない。例えば、蹴込み板３８を上下可動な構成とし、引出部材３１が収容位置にあるときに、蹴込み板３８を降下させて、第一床部１０の床面１１に当接させて、引出部材３１を床面１１に固定するようにしてもよい。
【００３２】
さらに、本実施形態では、引出部材３１に戸車３４を設けて移動を行っているが、これに限定されるものではない。例えば、高床部２０の裏面（下面）に吊りレールを設けて、この吊りレールによって引出部材３１を移動させるようにしてもよい。
【符号の説明】
【００３３】
１      床下収納構造
１０    第一床部
１１    表面
２０    高床部
２１    表面
３０    床下収納部
３１    引出部材
３５    階段
３９    凹部（取っ手部）
【図１】
2012031671.tif 000003
【図２】
2012031671.tif 000004